(57)【要約】  留め継ぎのこぎりは（１）は、使用者の手動の操作のもとで、調整され得る締め付け力を有する、ねじなしワークピース締め付け金具（１２）を支持するために構成される基礎部材（２）を有する。基礎部材（２）の底面は、脚（１５）の取り付け金具の構造で設置されている。付随スタンド（１７）は、基礎部材（２）から取り外し可能であり、切断されるようにワークピース（１３）の端部を支持するために適切な基礎部材（２）から選択された距離で使用者によって配置され得る。端部係止部（２１）は、基礎部材（２）にスライド可能に取り付けられ、迅速に粗い位置の調整機能（２３）と、細かい位置の調整機能（２４）も有する。留め継ぎのこぎり（１）は、手動操作、工具不要な接続及び電気的駆動モータを含むのこぎり集合体によって基礎部材ユニット（２）に取り付けられる支持集合体（４）を有し、のこぎり集合体は、手動操作、道具不要の接続によってのこぎり支持集合体（４）に取り付けられ得る。
2013538129.tif 000002
【特許請求の範囲】
【請求項１】
使用者の手動の下で、締め力が調整できることを特徴とするスクリュレスワークピース締め金具を支持する基礎部材を有する留め継ぎ用のこぎり。
【請求項２】
前記締め金具は、前記のこぎりの基礎部材で適切な開口部に配置される直立の支持柱を有する、請求項１ののこぎり。
【請求項３】
締め金具本体は、支持柱で、例えば、つまみねじによって使用者の調整できる位置に接続され、前記支持柱から横方向に延長する請求項２ののこぎり。
【請求項４】
前記支持柱の遠位部分で、直立の顎柱は、前記締め金具本体を通り、前記締め金具本体の中に収納された取っ手板も通り抜ける、請求項３ののこぎり。
【請求項５】
前記顎柱は、パッドに嵌合するワークピースでその下端を終端処理する、請求項４ののこぎり。
【請求項６】
前記取っ手板は、前記締め金具本体で前記締め金具本体の一端部に枢動可能に取り付けられたレバーの手動操作によって、前記取っ手板に嵌合できるカムを回転するために、前記取っ手板が前記顎柱を把持する位置と、前記取っ手板が把持しない位置との間で移動できる、請求項４若しくは請求項５ののこぎり。
【請求項７】
前記カムの回転は、前記カムと関連するピニオンに嵌合する前記レバー少なくとも１つの弓形のラックによる、請求項６ののこぎり。
【請求項８】
前記締め金具は、前記レバー枢動から遠位部分の前記レバーの端部に収納される親指開放、バネ荷重歯止め４１によって嵌合できるのこぎり歯状の弓形の配列で終端処理されている、少なくとも１つの請求項３乃至７のいずれか１ののこぎり。
【請求項９】
基礎部材の底面は、複数の脚の留め金具の構造を設置されることを特徴とする、基礎部材を有する留め継ぎのこぎり。
【請求項１０】
前記複数の脚は、輸送若しくは格納をしやすくするために、前記基礎部材から完全に取り外しできることを特徴とする、基礎部材を有する留め継ぎのこぎり。
【請求項１１】
前記複数の脚は、スクリュ手段を運搬する前記基礎部材を有し、このためにソケット若しくは栓である前記基礎部材の前記構造を有する４つの個別の脚と、前記基礎部材に前記上端部を固定するために操作される前記スクリュ手段と、を有し、
前記複数の脚の前記上端部は嵌合される、請求項９若しくは請求項１０の留め継ぎのこぎり。
【請求項１２】
前記複数の脚は、前記基礎部材に枢動可能に取り付けられ、折り畳まれた格納／輸送の位置と、折り畳まれず、展開された位置との間で移動できる、請求項９の留め継ぎのこぎり。
【請求項１３】
基礎部材から取り外しでき、切断されるワークピースの端部を支持するために適切な前記基礎部材からの選択された距離で使用者によって配置できる、付随スタンドを有する、前記基礎部材を有する留め継ぎのこぎり。
【請求項１４】
前記付随スタンドは、前記基礎部材の一部分に適合するストラップ若しくはクリップである、請求項１３の留め継ぎのこぎり。
【請求項１５】
前記付随スタンドは、ワークピースの底面がベア（bear）に適合されるローラを包含する、請求項１３若しくは請求項１４の留め継ぎのこぎり。
【請求項１６】
前記端部係止部は、急速な粗い位置の調整機能と、細かい位置の調整機能とを有することを特徴とする前記基礎部材にスライド可能に取り付けられた端部係止部を有する、基礎部材を有する留め継ぎのこぎり。
【請求項１７】
前記端部係止部は、前記基礎部材に係ってスライド可能に調節できる、請求項１６の留め継ぎのこぎり。
【請求項１８】
前記端部係止部は、前記基礎部材の範囲面積の内側にスライドでき、このために前記基礎部材の前記対応する範囲よりも長さの短いワークピースの切断部分を許容する、請求項１６若しくは請求項１７の留め継ぎのこぎり。
【請求項１９】
前記端部係止部は、前記基礎部材に係る前記係止部の急速な内側、若しくは、外側への移動のための変形及び開放にかかって付勢される手動開放キャッチを有する、一組の平行な棒の一方で支えられ、
前記一組の平行棒の一方は、構造の長さの少なくとも一部分に従って設置される、請求項１６乃至１８のいずれか１の留め継ぎのこぎり。
【請求項２０】
前記構造は、前記平行な棒の一方に従う連続したノッチ若しくはギザギザである請求項１９の留め継ぎのこぎり。
【請求項２１】
開放キャッチは、前記構造の点に係って付勢されるバネである、請求項１９若しくは請求項２０の留め継ぎのこぎり。
【請求項２２】
前記開放キャッチは、前記端部係止部の粗い位置の調整が必要な場合に前記使用者によってトリガ操作可能に接続されている、請求項１９乃至２１のいずれか１の留め継ぎのこぎり。
【請求項２３】
前記細かな位置調整は、スクリュ装置と、一体化された、無限に回転可能な制御ノブ、正確な切断を確保する正確な調整部と、を設けられた請求項１６乃至２２のいずれか１の留め継ぎのこぎり。
【請求項２４】
前記端部係止部は、収容できる、請求項１６乃至２３のいずれか１の留め継ぎのこぎり。
【請求項２５】
基礎部材ユニットと、
手動操作可能な、工具不要の接続によって前記基礎部材ユニットに取り付け可能なのこぎり支持アセンブリと、
手動操作可能な、工具不要な接続によって前記のこぎり支持アセンブリに取り付けできる電気的駆動モータと、を含むのこぎりアセンブリ。
【請求項２６】
工具不要の接続は、手動操作可能なスクリュを有する、請求項２５の留め継ぎのこぎり。
【請求項２７】
前記工具不要の接続は、手動操作可能なカム装置を有する、請求項２５の留め継ぎのこぎり。
【請求項２８】
工具不要な接続は、手動操作可能なオーバーセンタ装置を有する、請求項２５の留め継ぎのこぎり。
【発明の詳細な説明】
【技術分野】
【０００１】
本発明は、携帯式若しくは準携帯式の、回転するのこぎり刃に動力を供給する電気的モータを含む、留め継ぎのこぎりに関連する。
【背景技術】
【０００２】
前述の一般的性能の留め継ぎのこぎり（ＵＳ２００２／０１４４４０５、ＵＳ２００４／０１３４０７６  参照）は、広範囲で適用されるが、ほとんどの設計は、いくつかの課題を被る。
【０００３】
例えば、基礎部材は、切断される金属材料／ワークピースのための締め金具のような取り付け金具の取り付け柱の下端部を受けるための開口の配列を設けられ、従来の締め金具は、一般的に、初期の締め金具位置のスクリュ手段による第１の粗い調整と、固定と、を必要とし、最後の締め金具位置を達成するために第２のスクリュ手段を操作する必要がある。このために、一般的に適用できる締め金具が、配置のために必要な時間に起因して、安全上の問題をもたらす不適用のためにしばしば廃棄されるということになる。
【０００４】
さらに、ブレードアセンブリは、斜めの切断が必要とされる場合に必要とされるので１側面に対して必ず枢動され、付随する危険を伴って、基礎部材のもう一方の側面で締め付ける金属材料が常に見込まれないので、ワークピースが手によってのみ適切な位置で支えることができるように締め金具を取り外す必要性をもたらす場合に、期待されるワークピースの大きさの全範囲を固定するための性能を有する締め金具は、しばしば間違われた位置に配置されている。
【０００５】
さらに、ウエストの高さで留め継ぎのこぎりを操作するために明らかに利便であり、作業台、若しくは、他の持ち上げられる支持表面の基礎部材の配置を必要とする。このような表面は、不都合で、据え付け及び切断操作を共に床高さで実施されるような例えば、据え付け場所はやたらにはない。
【０００６】
また、ブレードガードが慣例的に設けられている取っ手は、一般的に、左手手動の操作が不便を感じられるようにしばしば言われる。直列の、ピストル、グリップハンドルは、一体化されたオン・オフのトリガ有し、片手で握るために“手で支持”されるのこぎりを避ける目的で知られているが（ＧＢ２４３８２８５）、片手ピストルグリップは、留め継ぎのこぎりを安定するために制限される支援、特にぎこちない切断操作が引き起こされる。
【０００７】
基礎部材を超えて拡大する相対的に長いワークピースの切断のために、支持部のいくつかの構造は、正確な切断が維持される場合にのこぎりから遠位部のワークピースの端部が好ましい。地表面でのこぎりの設置面積において、ハウスれんが（house brick）、若しくは、れんがのスタックは、可能な場合は、このような支持部に従来は適用されるが、有限な体積である、れんがは、最適な高さの支持部をめったに提供しない一方で、スタックは不安定である。
【０００８】
また、端部係止部は、一般的に、一度位置に置かれ、同一の長さのワークピースのバッチを切断する繰り返しが、すぐに作用されるように、設置されている。しかし、知られている端部係止部は、基礎部材の１側面からすぐに発射する基本的な“Ｕ字”形状のワイヤあぶみ綱、若しくは、１８０°間隔に配置された２つのこのようなあぶみ綱から成る。このようなあぶみ綱は、所望の位置は、ワークピースが繰り返して切断されるまで、制限の範囲内で、基礎部材に対して、若しくは、から離れて使用者によって係止部を取り付けられて、粗い位置の調整のみを提供する。
【０００９】
さらに、ワークピースがこの最小の設定より短い長さに切断されることが要求された場合、端部係止部は適用され得ないように、端部係止部は、最小の内側設定を有する。
【００１０】
最後に、留め継ぎのこぎりの無様なバルクは、十分なこん包を必要とするカートンと、通常単独のパレットでほんの積み重ね可能な６カートンとで、カートンに入れ、処理及び輸送の両方で課題が存在する。
【発明の概要】
【００１１】
［本発明の目的］  
本発明の主目的は、改良された留め継ぎのこぎりの提供である。
【００１２】
［本発明の第１の態様の概要］  
本発明の一態様に従って、ねじなしワークピース締め金具を支持される基礎部材を有する留め継ぎのこぎり（Ｍｉｔｒｅ  ｓａｗ）を提供され、作業者の手動の元で、締めつけ力が調整されることを特徴とする。
【００１３】
［本発明の第１の態様の効果］  
ねじなし締め金具の提供は、締め付け金具とこのための操作者のさらなる安全性を促す、操縦者の留め継ぎのこぎりの基礎部材へのワークピースの急速な締め付けだけでなく、実行される切断操作に適合するための最小及び最大の間の作用で設定された締め付け力を可能にする。
【００１４】
［第１の態様の好適、若しくは、任意の特徴］  
締め付け金具は、のこぎりの基礎部材で適切な開口部を設置されている直立の支持柱を有している。
【００１５】
締め金具本体は、支持柱において、例えば、つまみねじによって使用者の調整できる位置に接続され、支持柱から横方向に延長する。
【００１６】
支持柱の遠位部分で、直立の顎柱（ｊａｗ  ｐｏｓｔ）は、締め金具本体を通り、締め金具本体の中に収納された取っ手板も通り抜ける。
【００１７】
顎柱は、パッドに嵌合するワークピースでその下端を終端処理する。
【００１８】
取っ手板は、締め金具本体で前記締め金具本体の一端部に枢動可能に取り付けられたレバーの手動操作によって、取っ手板に嵌合できるカムを回転するために、取っ手板が顎柱を把持する位置と、前記取っ手板が把持しない位置との間で移動できる。
【００１９】
カムの回転は、カムと関連するピニオンに嵌合するレバー少なくとも１つの弓形のラックによる。
【００２０】
締め金具は、レバーの枢動から遠位部分のレバーの端部に収納される親指開放、バネ荷重歯止めによって嵌合できるのこぎり歯状の弓形の配列で終端処理されている。
【００２１】
［本発明の第２の態様の概要］  
本発明の第３の態様によれば、基礎部材を有する留め継ぎのこぎりを設けられ、基礎部材の底面は、複数の脚の留め金具の構造を設置されることを特徴とする。
【００２２】
［本発明の第２の態様の効果］  
脚の取り付け機能の提供は、留め継ぎのこぎりが、ウエストの高さで常に配置されることを保証し、適切な支持面のある、なしに係わりなく、床の高さで精密な切断をする必要性を回避される。
【００２３】
［第２の態様の好適、若しくは、任意の特徴］  
１つの実施形態で、複数の脚は、輸送若しくは格納をしやすくするために、基礎部材から完全に取り外しできる。
【００２４】
複数の脚は、スクリュ手段を運搬する基礎部材を有し、このためにソケット若しくは栓である基礎部材の構造を有し、これらの脚の上端部が嵌合される４つの個別の脚と、基礎部材に上端部を固定するために操作されるスクリュ手段と、を有する、
他の実施形態において、複数の脚は、基礎部材に枢動可能に取り付けられ、折り畳まれた格納／輸送の位置と、折り畳まれず、展開された位置との間で移動できる。
【００２５】
［本発明の第３の態様の概要］  
本発明の第５の態様によれば、基礎部材を有する留め継ぎのこぎりを設けられ、基礎部材から取り外し可能であり、切断されるワークピースの端部を支持するために適切な基礎部材から選択された距離で使用者によって配置される付随のスタンドを有する。
【００２６】
［本発明の第３の効果］  
留め継ぎのこぎりは、床高さでほとんどしばしば操作されるので、付随のスタンドは、正確な切断を補助するために正確な高さで長いワークピースを支持するための手段を提供する。
【００２７】
［第３の態様の好適な、若しくは、任意の特徴］  
付随のスタンドは、基礎部材の一部分に適合するストラップ若しくはクリップである。
【００２８】
付随のスタンドは、ワークピースの底面がベア（bear）に適合されるローラを包含する。
【００２９】
［本発明の第４の態様の概要］  
本発明の第６の態様によれば、端部係止部は、急速な粗い位置の調整機能と、細かい位置の調整機能とを有することを特徴とする基礎部材にスライド可能に取り付けられた端部係止部を有する、基礎部材を有する留め継ぎのこぎりが設けられている。
【００３０】
［本発明の第４の態様の効果］  
機能は、端部係止部の迅速で正確な位置調整を提供する。
【００３１】
［第４の態様の好適な、若しくは、任意の特徴］  
端部係止部は、基礎部材に係ってスライド可能に調節できる。
【００３２】
端部係止部は、基礎部材の範囲面積の内側にスライドでき、このために基礎部材の前記対応する範囲よりも長さの短いワークピースの切断部分を許容する。
【００３３】
構造は、平行な棒の一方に沿って連続したノッチ若しくはギザギザである。
【００３４】
開放キャッチは、構造の点に係って付勢されるバネである。
【００３５】
開放キャッチは、端部係止部の粗い位置の調整が必要な場合に使用者によってトリガ操作可能に接続されている。
【００３６】
細かな位置調整は、スクリュ装置と、一体化された、無限に回転可能な制御ノブ、正確な切断を確保する正確な調整部と、を設けられている。
【００３７】
端部係止部は、収容できる。
【００３８】
［本発明の第５の態様の概要］  
本発明の第７の態様によれば、独自の重要性として、基礎部材ユニットと、手動操作可能な、工具不要の接続によって基礎部材ユニットに取り付け可能なのこぎり支持アセンブリと、手動操作可能な、工具不要な接続によってのこぎり支持アセンブリに取り付けできる電気的駆動モータと、を含むのこぎりアセンブリを設けられている。
【００３９】
［本発明の第５の態様の効果］  
道具の必要性なく、手によって容易に組み立てられ得る３つの基本要素の留め継ぎのこぎりを構成することによって、カートンを受ける体積は、業界基準のパレットの代わりに唯一６つのカートンを受けることができ、分解される留め継ぎのこぎりを収納する１６のさらに小さいカートンは、同様のパレットに積み重ねられ、処理及び輸送のコストを大幅に軽減するだけでなく、飾り棚も必要とされない、結果の組立の留め継ぎのこぎりを必要とされるカートンの体積と比較して軽減され得るように、さらに小さい体積領域の中へ３つの基礎要素の人間工学の積み重ねで、出荷時設定の後に、留め継ぎのこぎりの分解の可能性を提供する。
【００４０】
［第５の態様の好適、若しくは、任意の特徴］  
工具不要の接続は、手動操作可能なスクリュを有する。
【００４１】
工具不要の接続は、手動操作可能なカム装置を有する。
【００４２】
工具不要な接続は、手動操作可能なオーバーセンタ装置を有する。
【００４３】
以下で、添付される図面は、一例として、本発明の種々の態様を含む留め継ぎのこぎりを示す。
【図面の簡単な説明】
【００４４】
【図１Ａ】図１Ａは、第１の態様に係るねじなし締め金具に亘る斜視図である。
【図１Ｂ】図１Ｂは、図１Ａの締め金具に亘る長手方向の断面図である。
【図１Ｃ】図１Ｃは、図１Ｂ及び図１Ｃの締め金具の側面図である。
【図１Ｄ】図１Ｄは、図１Ｃの端面図である。
【図１Ｅ】図１Ｅは、図１Ｃの平面図である。
【図１Ｆ】図１Ｆは、図１Ｃの指定された部分の拡大詳細図である。
【図２Ａ】図２Ａは、折り畳まれる脚の第２の態様に係る留め継ぎのこぎりの正面斜視図である。
【図２Ｂ】図２Ｂは、図２Ａに対応するが、部分的に展開された脚を示している。
【図２Ｃ】図２Ｃは、図２Ａに対応するが、完全に展開された脚を示している。
【図２Ｄ】図２Ｄは、どうのように留め継ぎのこぎりが使用されるか示す図である。
【図２Ｅ】図２Ｅは、その場で、どのように脚のない先行技術の留め継ぎのこぎりが使用されるかを示す図である。
【図３Ａ】図３Ａは、のこぎりの基礎部材に取り付けられた付随スタンドを伴い、第３の態様に係る留め継ぎのこぎりの正面斜視図である。
【図３Ｂ】図３Ｂは、図３Ａに対応するが、基礎部材から取り外される付随のスタンドを示す図である。
【図３Ｃ】図３Ｃは、どのように先行技術の留め継ぎのこぎりが使用されるかを示す図である。
【図４Ａ】図４Ａは、外側の位置に展開される端部係止部を伴う、第４の態様にかかる留め継ぎのこぎりを示す図である。
【図４Ｂ】図４Ｂは、図４Ａに対応するが、内部の位置に適用される端部係止部を示す図である。
【図５Ａ】図５Ａは、先行技術の完全に組立られた留め継ぎのこぎりを示す図である。
【図５Ｂ】図５Ｂは、図５Ａののこぎりに必要とされる容器を示す図である。
【図５Ｃ】図５Ｃは、いくつかの工業規格パレットで最大の６つの容器を示す図である。
【図５Ｄ】図５Ｄは、第５の態様に係る組立式留め継ぎのこぎりを示す図である。
【図５Ｅ】図５Ｅは、図５Ｄののこぎりに必要とされる容器である。
【図５Ｆ】図５Ｆは、工業規格のパレット、同様の中の図５Ｅの１６容器より小さく積む能力を示す図である。
【発明を実施するための形態】
【００４５】
全ての図で、同等の構成要素は、同等の構成要素は、同等の参照番号と一致される。
【００４６】
留め継ぎ用のこぎり１は、作業台若しくは床上の台座に適用されるベース部材２と、ターンテーブル３と、スライドバー５を包含し、トリガーを包含する操作者ハンドル１０を有するハウジング９の内部の電動モーターによって駆動される保護部材８を設置された丸のこ刃７のための支持構造物６を運搬する支持構造物４と、を有している。
【００４７】
本発明の第１の態様に従って、図１Ａ−１Ｆに示すように、ベース部材２は、タイマー若しくは金属から成る長さ若しくは細長い外形のワークピース１３のためのスクリュレス（screwless）締め金具１２を設けられている。スクリュレスである場合に、締め金具１２は、迅速に作用し、取扱いが容易であり、手によってワークピース１３を保持する操作者の危険よりむしろそれの採用を奨励する。詳細に、締め金具１２は、のこぎり１の基礎の適切な装置に配置されるように適応された直立の支持柱２８を有している。締め金具の本体２９は、支持ポスト２８で、例えば、穴３０を通るつまみねじ（thumb screw）によって使用者の調整可能な位置に接続され、支持ポスト２８から横方向に延長する。支持ポスト２８から遠位部分で、直立の顎柱３１は、締め金具の本体２９と、締め金具のボディ２９の内側に収納される取っ手板３２も通り抜ける。顎柱３１は、パッド３３に嵌合するワークピースでその下端を終端処理する。取っ手板３２は、締め金具２９にそれの一端部３５で枢動可能に取り付けられたレバー３４の手動操作によって、取っ手板３２の一部分３７に嵌合できるカム３６を回転するために、顎柱３１を握る位置と、それがない位置との間で移動可能である。カム３６の回転は、カム３６と関連するピニオン３９に嵌合するレバー３４で少なくとも１つの弓形のラックによる。締め金具の本体２９は、その枢動から遠位部分のレバー３４の端部４２に収納される親指開放、バネ荷重歯止め４１によって嵌合可能なのこぎり歯状の弓形の配列４０で終端処理されている。
【００４８】
第２の態様に従って、図２Ａ乃至図２Ｅに示されるように、ベース部材２の反対側にヒンジで動かされる一組の折り畳み式の脚１５の設備は、作業台が適用されないなら、建設現場での状況でしばしばあるように、このとき床が取り付けられた場合に図２Ｅに示されるように窮屈な使用の代わりに、使用者は、図２Ｄに示されるように、脚を図２Ｃに示された位置に容易に配置し得る。
【００４９】
第４の実施形態に従って、図３は、ワークピース１３の末端部を支持するために１つ若しくは複数のハウスれんが（housebricks）を見つけて、適用することの床面高さで作業する標準手順を示しているが、図３Ａ及び３Ｂに示される実施形態で、スタンド１７は、開口部１９に嵌合する一組のピン１８によってベース部材２に挟まれ、支持スタンド１７が容易に適用することを保証し、切断操作は、使用者がれんがの探索を開始する間に中断される必要がない。さらに、自由に回転可能なローラー２０の設備は、ワークピースが切断操作前進する場合にスタンド１７に亘ってすぐに前進され、後退され得ることを保証する。
【００５０】
図４Ａ及び図４Ｂに示される実施形態で、のこぎりは、正確な切断を支援するためにワークピース端部停止部２１を設置されるように示され、端部停止部は、一組の拡張可能で、格納可能である平行な棒２２で基礎部材から支持され、嵌合可能な均一なリブ若しくは開口部２３を設置され、開放可能なスプリングによって粗い調整のため、細かい位置的な調整を伴う負荷されるプランジャーは、スクリュ装置２４によって提供される。
【００５１】
図５Ａ乃至５Ｆに示される第６の実施形態のように、工業規格パレット２５の完全に組み立てられた留め継ぎ用のこぎり１の輸送の制限が、体積４７０×５６０×７６０の箱２６が、ここで６つの箱が最大である、４０フィート（１２．１９ｍ）容器へフォークリフトによって積み込まれるパレットで各のこぎり１を必要とされる図５Ａ乃至５Ｃから正確に理解され得る。
【００５２】
しかし、（図５Ｄに示される位置に工場で設置し、梱包するために工場で分解後に）使用者によってスクリュレス再組み立てを提供することで、さらに小さい４００×４６０×５７０の箱２７は、同等のパレット２５は、４０フィート（１２．１９ｍ）容器に積み込みでき、その結果、輸送コストを大幅に減少するよりも１６の箱２７を収容でき、その結果、のこぎり１の数を十分に増加する範囲として、十分であろう。
【図１Ａ】
2013538129.tif 000003
【図１Ｂ】
2013538129.tif 000004
【図１Ｃ】
2013538129.tif 000005
【図１Ｄ】
2013538129.tif 000006
【図１Ｅ】
2013538129.tif 000007
【図１Ｆ】
2013538129.tif 000008
【図２Ａ】
2013538129.tif 000009
【図２Ｂ】
2013538129.tif 000010
【図２Ｃ】
2013538129.tif 000011
【図２Ｄ】
2013538129.tif 000012
【図２Ｅ】
2013538129.tif 000013
【図３Ａ】
2013538129.tif 000014
【図３Ｂ】
2013538129.tif 000015
【図３Ｃ】
2013538129.tif 000016
【図４Ａ】
2013538129.tif 000017
【図４Ｂ】
2013538129.tif 000018
【図５Ａ】
2013538129.tif 000019
【図５Ｂ】
2013538129.tif 000020
【図５Ｃ】
2013538129.tif 000021
【図５Ｄ】
2013538129.tif 000022
【図５Ｅ】
2013538129.tif 000023
【図５Ｆ】
2013538129.tif 000024
【誤訳訂正書】
【提出日】平成25年4月16日(2013.4.16)
【誤訳訂正１】
【訂正対象書類名】特許請求の範囲
【訂正対象項目名】全文
【訂正方法】変更
【訂正の内容】
【特許請求の範囲】
【請求項１】
使用者の手動の下で、クランプ力が調整でき、
支持柱の遠位部分で、直立の顎柱は、クランプの本体を通り、前記クランプの本体の中に収納された取っ手板も通り抜け、
前記取っ手板は、前記取っ手板の一部分に係合できるカムを回転するために、前記クランプの本体に一端部が回転可能に取り付けられたレバーの手動操作によって、前記取っ手板が前記顎柱を把持する位置及び前記取っ手板が把持しない位置の間で移動できることを特徴とする、スクリュレスワークピースクランプを支持するように適合されるベース部材を有する留め継ぎ用のこぎり。
【請求項２】
前記クランプは、前記のこぎりのベース部材で適切な開口部に配置されるように適合される直立の支持柱を有する、請求項１ののこぎり。
【請求項３】
クランプの本体は、例えば、つまみねじによって使用者の調整できる位置に接続され、前記支持柱において、前記支持柱から横方向に延びている請求項２ののこぎり。
【請求項４】
前記顎柱は、ワークピース係合パッド内でその下端を終端する、先行する請求項のいずれか１項ののこぎり。
【請求項５】
前記カムの回転は、前記カムと対応する小歯車に係合する前記レバー上の少なくとも１つの弓形のラックによってなされる、先行する請求項のいずれか１項の請求項ののこぎり。
【請求項６】
前記クランプの本体は、前記レバーの回転軸から遠位部分の前記レバーの端部に収納される親指で解放されるバネ荷重歯止めによって係合できるのこぎり歯状の弓形の配列で終端する、請求項３乃至５のいずれか１ののこぎり。
【請求項７】
前記ベース部材の底面は、前記脚のアタッチメントの形状が提供されることを特徴とする、ベース部材を有する留め継ぎ用のこぎり。
【請求項８】
前記脚は、輸送又は格納をしやすくするために、前記ベース部材から完全に取り外しできる、請求項７の留め継ぎ用のこぎり。
【請求項９】
前記脚は、４つの個別の脚と、前記ベース部材を移動するスクリュ手段とを有し、かつ、ソケット又は栓である、前記ベース部材の前記形状を有し、前記脚の上端部が係合し、前記ベース部材に前記脚の前記上端部を固定するために操作される前記スクリュ手段を有している、請求項７又は請求項８の留め継ぎ用のこぎり。
【請求項１０】
前記脚は、前記ベース部材に回転可能に取り付けられ、折り畳まれた格納／輸送の位置及び折り畳まれず、展開された位置の間で移動できる、請求項７の留め継ぎ用のこぎり。
【請求項１１】
ベース部材から取り外しでき、切断されるワークピースの端部を支持するために適切な前記ベース部材からの選択された距離で使用者によって配置できる付随のスタンドを有する、前記ベース部材を有する留め継ぎ用のこぎり。
【請求項１２】
前記付随のスタンドは、前記ベース部材の一部分に適合するストラップ又はクリップである、請求項１１の留め継ぎ用のこぎり。
【請求項１３】
前記付随のスタンドは、ワークピースの底面が支持するのに適合されるローラを含む、請求項１１又は請求項１２の留め継ぎ用のこぎり。
【請求項１４】
前記ベース部材にスライド可能に取り付けられた端部係止部を有し、前記端部係止部は、迅速な粗い位置の調整機能及び細かい位置の調整機能を有することを特徴とする、ベース部材を有する留め継ぎ用のこぎり。
【請求項１５】
前記端部係止部は、前記ベース部材に対してスライド可能に調節できる、請求項１４の留め継ぎ用のこぎり。
【請求項１６】
前記端部係止部は、前記ベース部材の寸法の設置面積内でスライドでき、このために前記ベース部材の前記対応する寸法よりも長さの短いワークピースの切断部分を許容する、請求項１４又は請求項１５の留め継ぎ用のこぎり。
【請求項１７】
前記端部係止部は、一組の平行な棒の一方に支えられ、前記一組の平行棒の一方は、形状の長さの少なくとも一部分に沿って提供されており、かつ、前記ベース部材に対して前記係止部の迅速な内側又は外側への移動のために、いくらかの変形を伴って係合にバイアスをかけて、解放されることができる手動開放キャッチを有する、請求項１４乃至１６のいずれか１の留め継ぎ用のこぎり。
【請求項１８】
前記形状は、前記平行な棒の一方に沿って、連続したノッチ又はギザギザである請求項１７の留め継ぎ用のこぎり。
【請求項１９】
前記開放キャッチは、前記形状の係合にバイアスされるバネである、請求項１７又は請求項１８の留め継ぎ用のこぎり。
【請求項２０】
前記開放キャッチは、前記端部係止部の粗い位置の調整が必要な場合に前記使用者によって操作可能にトリガに接続されている、請求項１７乃至１９のいずれか１の留め継ぎ用のこぎり。
【請求項２１】
前記細かな位置調整は、正確な切断を確保するように、スクリュ装置と、関連する、無限に回転可能な制御ノブのミクロ調整部とによって提供される、請求項１４乃至２０のいずれか１の留め継ぎ用のこぎり。
【請求項２２】
前記端部係止部は、収容できる、請求項１４乃至２１のいずれか１の留め継ぎ用のこぎり。
【請求項２３】
道具を要しないで、使用者によって組み立てられる３つの分離されたコンポーネントとして箱に収納される留め継ぎ用のこぎりであって、
前記コンポーネントは、
ベース部材ユニットと、
手動操作可能な、道具不要の接続によって前記ベース部材ユニットに使用者によって取り付け可能なのこぎり支持アセンブリと、
手動操作可能な、道具不要な接続によって前記のこぎり支持アセンブリに使用者によって取り付けでき、電気的駆動モータを含む、のこぎりアセンブリとを有する留め継ぎ用のこぎり。
【請求項２４】
前記道具不要の接続は、手動操作可能なスクリュを有する、請求項２５の留め継ぎ用のこぎり。
【請求項２５】
前記道具不要の接続は、手動操作可能なカム装置を有する、請求項２５の留め継ぎ用のこぎり。
【請求項２６】
前記道具不要な接続は、手動操作可能なオーバーセンタ装置を有する、請求項２５の留め継ぎ用のこぎり。
【誤訳訂正２】
【訂正対象書類名】明細書
【訂正対象項目名】全文
【訂正方法】変更
【訂正の内容】
【発明の詳細な説明】
【技術分野】
【０００１】
本発明は、携帯式又は準携帯式の、回転するのこぎり刃に動力を供給する電気的モータを含む、留め継ぎ用のこぎりに関連する。
【背景技術】
【０００２】
前述の一般的性能の留め継ぎ用のこぎり（ＵＳ２００２／０１４４４０５、ＵＳ２００４／０１３４０７６  参照）は、広範囲で使用されるが、ほとんどの設計は、いくつかの課題を被る。
【０００３】
例えば、ベース部材は、切断される木材／ワークピースのためのクランプのような、アタッチメント（attachment）のマウント（mounting）柱の下端部を受けるための開口部の配列が設けられている。従来のクランプ（clamps）は、一般的に、最初のクランプ（clamping）位置でスクリュ手段による第１の粗い調整及び固定を必要とする。また、最後のクランプ位置に達するために第２のスクリュ手段を操作する必要がある。この結果、現在入手できるクランプは、設定に必要な時間のために、そのような未使用が安全上の問題を引き起こすので、しばしば廃棄される。
【０００４】
さらに、予測されるワークピースの大きさの全範囲を固定するための性能を有するクランプは、斜め切断が要求されるときに必要とされるように、ブレードアセンブリが片側に対し必然的に回転される場合に、しばしば正しくない位置に配置される。例えば、危険を伴って、ワークピースが手によって所定位置にのみ保持されることができて、ベース部材の他方の片側で木材をクランプすることが、常に可能というわけではないので、クランプを取り外す必要性が生じる。
【０００５】
さらに、ウエストの高さで留め継ぎ用のこぎりを操作することは、明らかに便利である。このことは、作業台又は他の持ち上げられる支持面上にベース部材の配置を必要とする。このような面は、不便なことに、据え付け及び切断操作を共に床高さで実施されるような、例えば、建築現場では高い頻度で存在しない。
【０００６】
また、ブレードガードが慣例的に設けられている取っ手は、一般的に、左手手動の操作が不便を感じられるようにしばしば取り付けられている。直列のピストル、グリップハンドルは、一体化されたオン・オフのトリガを有し、片手で握るために“手で支持”されるのこぎりを回避する目的で知られている（ＧＢ２４３８２８５）。しかし、片手ピストルグリップは、特にぎこちない切断操作が伴う状況で、留め継ぎのこぎりを安定させるときには制限された支援を提供する。
【０００７】
ベース部材を超えて延びる、相対的に長いワークピースの切断の場合に、支持のある形態は、正確な切断が維持されるためにはのこぎりから遠位部のワークピースの端部が望ましい。地表でのこぎりを使う建設現場において、可能であれば、ハウスれんが（house brick）又はれんがのスタックが、このような支持に慣習的に使用される。しかし、れんがは、有限な体積であり、最適な高さの支持をめったに提供しない。一方で、スタックは不安定である。
【０００８】
また、端部係止部は、一旦、位置に置かれ、同じ長さのワークピースのバッチの切断を繰り返して、素早く効果的であり得るように、慣習的に設けられる。しかし、既知の端部係止部は、ベース部材の一方側から半径方向に突き出した基本的な“Ｕ字”形状のワイヤあぶみ綱、又は、１８０°間隔で配置された２つのこのようなあぶみ綱から成る。このようなあぶみ綱は、粗い位置の調整を与えるのみである。このとき端部係止部は、ベース部材に向かって、又はベース部材から離れて、制限の範囲内で、所望の位置が、ワークピースが繰り返し切断されるための長さに到達するまで使用者によってタッピングされる。
【０００９】
さらに、端部係止部は、最小の内部の設定を有するので、ワークピースがこの最小の設定より短い長さに切断されるように要求された場合、端部係止部は使用できない。
【００１０】
最後に、重要なこん包を必要とするカートン、及び通常の１つのパレット上に６カートンだけを積み重ね得る場合には、留め継ぎ用のこぎりのぎこちないバルクは、カートン入れ、処理（handling）及び輸送（shipping）のときに課題が存在する。
【発明の概要】
【００１１】
［本発明の目的］  
本発明の主目的は、改良された留め継ぎ用のこぎりの提供である。
【００１２】
［本発明の第１の態様の概要］  
本発明の一態様によれば、スクリュレスワークピースクランプを支持するベース部材を有する留め継ぎ用のこぎり（Ｍｉｔｒｅ  ｓａｗ）が提供される。これは、使用者の手動の下で、クランプ力が調整されることを特徴とする。
【００１３】
［本発明の第１の態様の有利性］  
スクリュレスクランプの提供は、クランプの使用及びその結果操作者のさらなる安全性を促すための、操縦者の留め継ぎ用のこぎりのベース部材へのワークピースの迅速なクランプだけでなく、使用者によって、実行される切断操作に適合する最小及び最大の間で、設定されるクランプ力を可能にする。
【００１４】
［第１の態様の好適、又は、任意の特徴］  
クランプは、のこぎりのベース部材で適切な開口部に配置される直立の支持柱を有している。
【００１５】
クランプの本体は、例えば、つまみねじによって使用者の調整できる位置に接続され、支持柱上で、支持柱から横方向に延びている。
【００１６】
支持柱の遠位部分にある、直立の顎柱（ｊａｗ  ｐｏｓｔ）は、クランプの本体を通り、そしてまたクランプの本体の中に収納された取っ手板も通り抜ける。
【００１７】
顎柱は、ワークピース係合パッド内でその下端を終端する。
【００１８】
取っ手板は、取っ手板の一部分に係合できるカムを回転するために、クランプの本体に一端部が回転可能に取り付けられたレバーの手動操作によって、取っ手板が顎柱を把持する位置及び取っ手板が把持しない位置の間で移動できる。
【００１９】
カムの回転は、カムと対応する小歯車に係合するレバー上の少なくとも１つの弓形のラックによってなされる。
【００２０】
クランプの本体は、レバーの回転軸から遠位部分のレバーの端部に収納される親指で解放されるバネ荷重歯止めによって係合できるのこぎり歯状の弓形の配列で終端する。
【００２１】
［本発明の第２の態様の概要］  
本発明の第３の態様によれば、ベース部材の底面は、脚のアタッチメントのための形状が提供されることを特徴とする、ベース部材を有する留め継ぎ用のこぎりが提供される。
【００２２】
［本発明の第２の態様の有利性］  
脚のアタッチメント機能の提供は、適切な支持面のある、なしに係わりなく、留め継ぎ用のこぎりがウエストの高さで常に配置されること、そして床の高さで精密な切断をする必要性が回避されることを保証する。
【００２３】
［第２の態様の好適、又は、任意の特徴］  
一実施形態において、脚は、輸送又は格納をしやすくするために、ベース部材から完全に取り外しできる。
【００２４】
脚は、４つの個別の脚と、ベース部材を移動するスクリュ手段とを有し、ソケット又は栓である、ベース部材の形状を有し、脚の上端部が係合し、ベース部材に脚の上端部を固定するために操作される前記スクリュ手段を有している。  
その他の実施形態において、脚は、ベース部材に回転可能に取り付けられ、折り畳まれた格納／輸送の位置及び折り畳まれず、展開された位置の間で移動できる。
【００２５】
［本発明の第３の態様の概要］  
本発明の第５の態様によれば、ベース部材から取り外し可能であり、切断されるワークピースの端部を支持するために適切なベース部材からの選択された距離に使用者によって配置される付随のスタンドを有する、ベース部材を有する留め継ぎ用のこぎりが提供される。
【００２６】
［本発明の第３の有利性］  
留め継ぎ用のこぎりは、床の高さで最も高い頻度で操作されるので、付随のスタンドは、正確な切断を補助するために正確な高さで、長いワークピースを支持するための手段を提供する。
【００２７】
［第３の態様の好適な、又は、任意の特徴］  
付随のスタンドは、ベース部材の一部分に嵌合するストラップ又はクリップである。
【００２８】
付随のスタンドは、ワークピースの底面が支えられるように適合されるローラを含む。
【００２９】
［本発明の第４の態様の概要］  
本発明の第６の態様によれば、ベース部材にスライド可能に取り付けられた端部係止部を有し、端部係止部は、迅速な粗い位置の調整機能及び細かい位置の調整機能を有することを特徴とする、ベース部材を有する留め継ぎ用のこぎりが提供される。
【００３０】
［本発明の第４の態様の有利性］  
機能は、端部係止部の迅速で正確な位置調整を提供する。
【００３１】
［第４の態様の好適な、又は、任意の特徴］  
端部係止部は、ベース部材に対してスライド可能に調節できる。
【００３２】
端部係止部は、ベース部材の寸法の設置面積内でスライドでき、このためにベース部材の対応する寸法よりも長さの短いワークピースの切断を許容する。  
端部係止部は、一組の平行な棒の一方に支えられ、一組の平行棒の一方は、形状の長さの少なくとも一部分に沿って提供されており、且つ、ベース部材に対して係止部の迅速な内側又は外側への移動のために、いくらかの変形を伴って係合にバイアスをかけて、解放されることができる手動開放キャッチを有する。
【００３３】
形状は、平行な棒の一方に沿って、連続のノッチ又はギザギザである。
【００３４】
開放キャッチは、いくらかの形状の係合にバイアスされるバネである。
【００３５】
開放キャッチは、端部係止部の粗い位置の調整が必要な場合に使用者によって操作可能にトリガに接続されている。
【００３６】
細かな位置調整は、正確な切断を確保するように、スクリュ装置と、関連する、無限に回転可能な制御ノブのミクロ調整部とによって提供される。
【００３７】
端部係止部は、収容できる。
【００３８】
［本発明の第５の態様の概要］  
本発明の第７の態様によれば、独自の有意性として、ベース部材ユニットと、手動操作可能な、道具不要の接続によってベース部材ユニットに取り付け可能なのこぎり支持アセンブリと、電気的駆動モータを有するのこぎりアセンブリとを有し、アセンブリは、手動操作可能な、道具不要な接続によってのこぎり支持アセンブリに取り付けできる、のこぎりアセンブリと有する留め継ぎ用のこぎりが提供される。
【００３９】
［本発明の第５の態様の有利性］  
道具の必要性なく、手によって容易に組み立てられ得る３つの基礎コンポーネントの留め継ぎ用のこぎりの構成は、出荷時状態に従って、より小さい体積エリア中へ３つの基礎コンポーネントの人間工学的な積載を伴って、留め継ぎ用のこぎりの分解の可能性を提供する。例えば、受けとるカートン体積は、組み立てられる留め継ぎ用のこぎりに要求されるカートンの体積と比較して減ぜられ得る。この結果、業界基準のパレットが６個のカートンだけを受けることができる代わりに、分解された留め継ぎ用のこぎりを収納する１６個のさらに小さい体積のカートンが、同じパレットに積み重ねられる。これは、処理及び輸送のコストを大幅に軽減するだけでなく、陳列棚の面積も必要としない。詳細には、従来の組み立てられた状態での同等の留め継ぎ用のこぎりの深さ４７０、幅５６０及び奥行き７６０のカートン寸法の条件と比べると、本発明の本態様に係る分解される留め継ぎ用のこぎりは、深さ４００、幅４６０及び奥行き５７０のカートン寸法に収納され得る。
【００４０】
［第５の態様の好適、又は、任意の特徴］  
道具不要の接続は、手動操作可能なスクリュを有する。
【００４１】
道具不要の接続は、手動操作可能なカム装置を有する。
【００４２】
道具不要な接続は、手動操作可能なオーバーセンタ装置を有する。
【００４３】
以下で、添付される図面は、一例として、本発明の種々の態様を含む留め継ぎ用のこぎりを示す。
【図面の簡単な説明】
【００４４】
【図１Ａ】図１Ａは、第１の態様に係るスクリュレスクランプの斜視図である。
【図１Ｂ】図１Ｂは、図１Ａのクランプの長手方向の断面図である。
【図１Ｃ】図１Ｃは、図１Ｂ及び図１Ｃのクランプの側面図である。
【図１Ｄ】図１Ｄは、図１Ｃの端面図である。
【図１Ｅ】図１Ｅは、図１Ｃの平面図である。
【図１Ｆ】図１Ｆは、図１Ｃの指定された部分の拡大詳細図である。
【図２Ａ】図２Ａは、折り畳まれる脚の第２の態様に係る留め継ぎ用のこぎりの正面斜視図である。
【図２Ｂ】図２Ｂは、図２Ａに対応するが、部分的に展開された脚を示している。
【図２Ｃ】図２Ｃは、図２Ａに対応するが、完全に展開された脚を示している。
【図２Ｄ】図２Ｄは、どうのように留め継ぎ用のこぎりが使用されるか示す図である。
【図２Ｅ】図２Ｅは、その場で、どのように脚のない先行技術の留め継ぎ用のこぎりが使用されるかを示す図である。
【図３Ａ】図３Ａは、のこぎりのベース部材に取り付けられた付随のスタンドを伴い、第３の態様に係る留め継ぎ用のこぎりの正面斜視図である。
【図３Ｂ】図３Ｂは、図３Ａに対応するが、ベース部材から取り外される付随のスタンドを示す図である。
【図３Ｃ】図３Ｃは、どのように先行技術の留め継ぎ用のこぎりが使用されるかを示す図である。
【図４Ａ】図４Ａは、外側の位置に展開される端部係止部を伴う、第４の態様に係る留め継ぎ用のこぎりを示す図である。
【図４Ｂ】図４Ｂは、図４Ａに対応するが、内側の位置で使用される端部係止部を示す図である。
【図５Ａ】図５Ａは、先行技術の完全に組み立てられた留め継ぎ用のこぎりを示す図である。
【図５Ｂ】図５Ｂは、図５Ａののこぎりに必要とされる容器を示す図である。
【図５Ｃ】図５Ｃは、いくつかの工業規格パレットで最大の６つの容器を示す図である。
【図５Ｄ】図５Ｄは、第５の態様に係る組立式留め継ぎ用のこぎりを示す図である。
【図５Ｅ】図５Ｅは、図５Ｄののこぎりに必要とされる容器である。
【図５Ｆ】図５Ｆは、工業規格のパレットと同一の上に図５Ｅの１６個以下の容器を積む込む能力を示す図である。
【発明を実施するための形態】
【００４５】
全ての図で、同一の構成要素は、同一の参照番号と一致される。
【００４６】
留め継ぎ用のこぎり１は、作業台又は床上の台座に適用されるベース部材２と、ターンテーブル３と、スライドバー５を含み、トリガーを含む操作者ハンドル１０を有するハウジング９の内部の電動モーターによって駆動され、保護部材８を設置された丸のこ刃７のための支持構造物６を支持する支持構造物４とを有している。
【００４７】
本発明の第１の態様によれば、図１Ａ−１Ｆに示すように、ベース部材２は、木材又は金属から成る一定の長さの、又は細長い形状のワークピース１３のためのスクリュレス（screwless）クランプ１２が設けられている。スクリュレスである場合には、クランプ１２は、素早く動作し、取扱いが容易である。これは、手によってワークピース１３を保持する使用者がリスクを有するよりむしろその採用を奨励する。詳細には、クランプ１２は、のこぎり１のベース部材の適切な開口部に配置されるように適合された直立の支持柱２８を有している。クランプの本体２９は、例えば、穴３０を通るつまみねじ（thumb screw）によって使用者の調整可能な位置に接続され、支持柱２８において、支持柱２８から横方向に延びている。支持柱２８から遠位部分にある直立の顎柱３１は、クランプの本体２９と、そしてまたクランプの本体２９の内側に収納されている取っ手板３２とを通り抜ける。顎柱３１は、ワークピース係合パッド３３でその下端を終端する。取っ手板３２は、クランプの本体２９にそれの一端部３５に回転可能に取り付けられたレバー３４の手動操作によって、取っ手板３２の一部分３７に係合できるカム３６を回転するために、顎柱３１をう位置及び顎柱３１を把持しない位置の間で移動可能である。カム３６の回転は、カム３６と対応する小歯車３９に係合するレバー３４上の少なくとも１つの弓形のラック３８によってなされる。クランプの本体２９は、その回転軸から遠位部分のレバー３４の端部４２に収納され、親指で開放されるバネ荷重歯止め４１によって係合可能なのこぎり歯状の弓形の配列４０で終端されている。
【００４８】
第２の態様によれば、図２Ａ乃至図２Ｅに示されるように、ベース部材２の両側にヒンジで動かされる一組の折り畳み式の脚１５の設備がある。それは、建設現場での状況でしばしばあるように、作業台が使用できないときに、このため床に備え付けられた場合の図２Ｅに示されるような窮屈な使用の代わりに、使用者が、図２Ｄに示されるような、脚を図２Ｃに示される位置に容易に配置し得ることを意味する。
【００４９】
第４の実施形態によれば、図３Ｃは、床面高さで作業する場合にワークピース１３の末端部を支持するために１以上のハウスれんが（housebricks）を発見し、使用するための標準手順を示している。しかし、図３Ａ及び３Ｂに示される実施形態では、スタンド１７は、開口部１９に係合する一組のピン１８によってベース部材２に対して取り付けられている。これは、支持スタンド１７が素早く使用できることを保証する。また、切断操作は、使用者がれんがを見つける間ずっと中断される必要がない。さらに、自由に回転可能なローラー２０の設備は、切断操作が進む際に、ワークピースがスタンド１７の上で容易に前進及び後退され得ることを保証する。
【００５０】
図４Ａ及び図４Ｂに示される実施形態によれば、のこぎりは、正確な切断を支援するためにワークピースの端部係止部２１が設置されるように示されている。端部係止部は、一組の、延長及び格納可能である平行な棒２２の上でベース部材２から支持されている。これらの一方は、係合可能な均一なリブ又は開口部２３が設置されている。このために、細かい位置調整とともに、開放可能なスプリングで負荷されるプランジャーによる粗い調整が、スクリュ装置２４によって提供される。
【００５１】
図５Ａ乃至５Ｆに示される第６の実施形態によれば、工業規格パレット２５上で完全に組み立てられた留め継ぎ用のこぎり１を輸送するときの制限が、図５Ａ乃至５Ｃから正確に理解され得る。ここで、寸法４７０×５６０×７６０の箱２６が、各のこぎり１に要求される。そのために、４０フィート（１２．１９ｍ）の容器へフォークリフトによって積み込まれるパレットでは、６個の箱が最大である。
【００５２】
しかし、（図５Ｄに示されるようなポジションで梱包するために工場でセットし、工場で分解の後に）使用者によってスクリュレスの再組み立てを提供することで、さらに小さい４００×４６０×５７０の箱２７が十分であろうことは、図５Ｅからわかるだろう。それは、同一のパレット２５が、４０フィート（１２．１９ｍ）容器中へ積載され得るよりも、１６個の箱２７を収容できる大きさである。その結果、それは、のこぎり１の数を有意に増加できる。従って、輸送コストが大幅に削減する。
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
ベース部材（２）の底面は、脚（１５）のアタッチメントの形状が提供されることを特徴とする、ベース部材（２）を有する留め継ぎ用のこぎり（１）。
【請求項２】
前記脚（１５）は、輸送又は格納をしやすくするために、前記ベース部材（２）から完全に取り外しできる、請求項１の留め継ぎ用のこぎり（１）。
【請求項３】
前記脚（１５）は、前記ベース部材（２）に回転可能に取り付けられ、折り畳まれた格納／輸送の位置と折り畳まれず展開された位置との間で移動できる、請求項１又は請求項２の留め継ぎ用のこぎり（１）。
【請求項４】
前記ベース部材（２）にスライド可能に取り付けられた端部係止部（２１）を有し、前記端部係止部（２１）は、迅速な粗い位置の調整機能（２２，２３）及び細かい位置の調整機能（２４）を有することを特徴とする、ベース部材（２）を有する留め継ぎ用のこぎり（１）。
【請求項５】
前記端部係止部（２１）は、前記ベース部材（２）に対してスライド可能に調節できる、請求項４の留め継ぎ用のこぎり（１）。
【請求項６】
前記端部係止部（２１）は、前記ベース部材（２）の寸法の設置面積内でスライドできる、請求項４又は請求項５の留め継ぎ用のこぎり（１）。
【請求項７】
前記端部係止部（２１）は、一組の平行な棒（２２）の一方に支えられ、前記一組の平行棒の一方は、形状（２３）の長さの少なくとも一部分に沿って提供されており、かつ、前記ベース部材（２）に対して前記係止部（２１）の迅速な内側又は外側への移動のために、いくらかの形状（２３）を伴って係合にバイアスをかけて、解放されることができる手動開放キャッチを有する、請求項４乃至６のいずれか１の留め継ぎ用のこぎり（１）。
【請求項８】
前記細かな位置調整は、正確な切断を確保するように、スクリュ装置（２４）と、関連する、無限に回転可能な制御ノブのミクロ調整部とによって提供される、請求項４乃至７のいずれか１の留め継ぎ用のこぎり（１）。
【請求項９】
ベース部材（２）から取り外しでき、切断されるワークピース（１３）の端部を支持するために適切な前記ベース部材（２）からの選択された距離で使用者によって配置できる付随のスタンド（１７）を有する、前記ベース部材（２）を有する留め継ぎ用のこぎり（１）。
【請求項１０】
前記付随のスタンド（１７）は、前記ベース部材（２）の一部分に適合するスナップ又はクリップである、請求項９の留め継ぎ用のこぎり（１）。
【請求項１１】
前記付随のスタンド（１７）は、ワークピース（１３）の底面が支持するのに適合されるローラ（２０）を含む、請求項９又は請求項１０の留め継ぎ用のこぎり（１）。
【請求項１２】
道具を要しないで、使用者によって組み立てられる３つの分離されたコンポーネントとして箱に収納される留め継ぎ用のこぎり（１）であって、
前記コンポーネントは、
ベース部材（２）と、
手動操作可能な、道具不要の接続によって前記ベース部材（２）に使用者によって取り付け可能なのこぎり支持構造（４）と、
手動操作可能な、道具不要な接続によって前記のこぎり支持構造（４）に使用者によって取り付けでき、電気的駆動モータを含む、のこぎり支持構造（６）とを有する留め継ぎ用のこぎり（１）。
【請求項１３】
前記道具不要の接続は、手動操作可能なスクリュを有する、請求項１２の留め継ぎ用のこぎり（１）。
【請求項１４】
前記道具不要の接続は、手動操作可能なカム装置を有する、請求項１２の留め継ぎ用のこぎり（１）。
【請求項１５】
前記道具不要な接続は、手動操作可能なオーバーセンタ装置を有する、請求項１２の留め継ぎ用のこぎり（１）。
【手続補正２】
【補正対象書類名】明細書
【補正対象項目名】００５２
【補正方法】変更
【補正の内容】
【００５２】
しかし、（図５Ｄに示されるようなポジションで梱包するために工場でセットし、工場で分解の後に）使用者によってスクリュレスの再組み立てを提供することで、さらに小さい４００×４６０×５７０の箱２７が十分であろうことは、図５Ｅからわかるだろう。それは、同一のパレット２５が、４０フィート（１２．１９ｍ）容器中へ積載され得るよりも、１６個の箱２７を収容できる大きさである。その結果、それは、のこぎり１の数を有意に増加できる。従って、輸送コストが大幅に削減する。  
以下に、本出願の特許請求の範囲に記載された発明を付記する。  
［１］使用者の手動の下で、クランプ力が調整でき、支持柱の遠位部分で、直立の顎柱は、クランプの本体を通り、前記クランプの本体の中に収納された取っ手板も通り抜け、取っ手板は、取っ手板の一部分に係合できるカムを回転するために、クランプの本体に一端部が回転可能に取り付けられたレバーの手動操作によって、取っ手板が顎柱を把持する位置及び取っ手板が把持しない位置の間で移動できることを特徴とする、スクリュレスワークピースクランプを支持するように適合されるベース部材を有する留め継ぎ用のこぎり。 
［２］クランプは、のこぎりのベース部材で適切な開口部に配置されるように適合される直立の支持柱を有する、［１］ののこぎり。 
［３］クランプの本体は、例えば、つまみねじによって使用者の調整できる位置に接続され、支持柱において、支持柱から横方向に延びている［２］ののこぎり。 
［４］顎柱は、ワークピース係合パッド内でその下端を終端する、［１］−［３］のいずれか１のこぎり。 
［５］カムの回転は、カムと対応する小歯車に係合するレバー上の少なくとも１つの弓形のラックによってなされる、［１］−［４］のいずれか１ののこぎり。 
［６］クランプの本体は、レバーの回転軸から遠位部分のレバーの端部に収納される親指で解放されるバネ荷重歯止めによって係合できるのこぎり歯状の弓形の配列で終端する、［３］乃至［５］のいずれか１ののこぎり。 
［７］ベース部材の底面は、脚のアタッチメントの形状が提供されることを特徴とする、ベース部材を有する留め継ぎ用のこぎり。 
［８］脚は、輸送又は格納をしやすくするために、ベース部材から完全に取り外しできる、［７］の留め継ぎ用のこぎり。 
［９］脚は、４つの個別の脚と、ベース部材を移動するスクリュ手段とを有し、かつ、ソケット又は栓である、ベース部材の形状を有し、脚の上端部が係合し、ベース部材に脚の上端部を固定するために操作されるスクリュ手段を有している、［７］又は［８］の留め継ぎ用のこぎり。 
［１０］脚は、ベース部材に回転可能に取り付けられ、折り畳まれた格納／輸送の位置及び折り畳まれず、展開された位置の間で移動できる、［７］の留め継ぎ用のこぎり。 
［１１］ベース部材から取り外しでき、切断されるワークピースの端部を支持するために適切なベース部材からの選択された距離で使用者によって配置できる付随のスタンドを有する、ベース部材を有する留め継ぎ用のこぎり。 
［１２］付随のスタンドは、ベース部材の一部分に適合するストラップ又はクリップである、［１１］の留め継ぎ用のこぎり。 
［１３］付随のスタンドは、ワークピースの底面が支持するのに適合されるローラを含む、［１１］又は［１２］の留め継ぎ用のこぎり。 
［１４］ベース部材にスライド可能に取り付けられた端部係止部を有し、端部係止部は、迅速な粗い位置の調整機能及び細かい位置の調整機能を有することを特徴とする、ベース部材を有する留め継ぎ用のこぎり。 
［１５］端部係止部は、ベース部材に対してスライド可能に調節できる、［１４］の留め継ぎ用のこぎり。 
［１６］端部係止部は、ベース部材の寸法の設置面積内でスライドでき、このためにベース部材の対応する寸法よりも長さの短いワークピースの切断部分を許容する、［１４］又は［１５］の留め継ぎ用のこぎり。 
［１７］端部係止部は、一組の平行な棒の一方に支えられ、一組の平行棒の一方は、形状の長さの少なくとも一部分に沿って提供されており、かつ、ベース部材に対して係止部の迅速な内側又は外側への移動のために、いくらかの変形を伴って係合にバイアスをかけて、解放されることができる手動開放キャッチを有する、［１４］乃至［１６］のいずれか１の留め継ぎ用のこぎり。 
［１８］形状は、平行な棒の一方に沿って、連続したノッチ又はギザギザである［１７］の留め継ぎ用のこぎり。 
［１９］開放キャッチは、形状の係合にバイアスされるバネである、［１７］又は［１８］の留め継ぎ用のこぎり。 
［２０］開放キャッチは、端部係止部の粗い位置の調整が必要な場合に使用者によって操作可能にトリガに接続されている、［１７］乃至［１９］のいずれか１の留め継ぎ用のこぎり。 
［２１］細かな位置調整は、正確な切断を確保するように、スクリュ装置と、関連する、無限に回転可能な制御ノブのミクロ調整部とによって提供される、［１４］乃至［２０］のいずれか１の留め継ぎ用のこぎり。 
［２２］端部係止部は、収容できる、［１４］乃至［２１］のいずれか１の留め継ぎ用のこぎり。 
［２３］道具を要しないで、使用者によって組み立てられる３つの分離されたコンポーネントとして箱に収納される留め継ぎ用のこぎりであって、コンポーネントは、ベース部材ユニットと、手動操作可能な、道具不要の接続によってベース部材ユニットに使用者によって取り付け可能なのこぎり支持アセンブリと、手動操作可能な、道具不要な接続によって前記のこぎり支持アセンブリに使用者によって取り付けでき、電気的駆動モータを含む、のこぎりアセンブリとを有する留め継ぎ用のこぎり。 
［２４］道具不要の接続は、手動操作可能なスクリュを有する、［２３］の留め継ぎ用のこぎり。 
［２５］道具不要の接続は、手動操作可能なカム装置を有する、［２３］の留め継ぎ用のこぎり。 
［２６］道具不要な接続は、手動操作可能なオーバーセンタ装置を有する、［２３］の留め継ぎ用のこぎり。
【国際調査報告】
2013538129.tif 000025
2013538129.tif 000026
2013538129.tif 000027
2013538129.tif 000028
2013538129.tif 000029